【手続補正書】
【提出日】平成31年2月5日(2019.2.5)
【手続補正１】
【補正対象書類名】特許請求の範囲
【補正対象項目名】全文
【補正方法】変更
【補正の内容】
【特許請求の範囲】
【請求項１】
負の屈折力のレンズ群Ｌｎ１と、前記レンズ群Ｌｎ１の像側に隣接して配置された負の屈折力のレンズ群Ｌｎ２と、前記レンズ群Ｌｎ２の像側に隣接して配置された正の屈折力のレンズ群Ｌｐ１と、１つ以上のレンズ群を含む後群を含み、ズーミングに際して隣り合うレンズ群の間隔が変化するズームレンズであって、
ズーミングに際して前記レンズ群Ｌｎ１と前記レンズ群Ｌｐ１は同一の軌跡で移動し、
無限遠から近距離へのフォーカシングに際して前記レンズ群Ｌｎ２は物体側に移動することを特徴とするズームレンズ。
【請求項２】
前記後群は、正の屈折力のレンズ群Ｌｐ２を有し、
前記レンズ群Ｌｐ２は前記ズームレンズに含まれる正の屈折力のレンズ群の中で焦点距離が最も短いレンズ群であり、
広角端に比べて望遠端において前記レンズ群Ｌｐ１と前記レンズ群Ｌｐ２の間隔が狭くなることを特徴とする請求項１に記載のズームレンズ。
【請求項３】
前記レンズ群Ｌｐ２の焦点距離をｆＬｐ２、広角端における前記ズームレンズの焦点距離をｆｗとするとき、
０．８＜ｆＬｐ２／ｆｗ＜３．０
なる条件式を満たすことを特徴とする請求項２に記載のズームレンズ。
【請求項４】
前記レンズ群Ｌｎ１の焦点距離をｆＬｎ１、広角端における前記ズームレンズの焦点距離をｆｗとするとき、
０．４＜−ｆＬｎ１／ｆｗ＜１．５
なる条件式を満たすことを特徴とする請求項１乃至３のいずれか１項に記載のズームレンズ。
【請求項５】
前記レンズ群Ｌｎ２の焦点距離をｆＬｎ２、広角端における前記ズームレンズの焦点距離をｆｗとするとき、
２．０＜−ｆＬｎ２／ｆｗ＜１３．５
なる条件式を満たすことを特徴とする請求項１乃至４のいずれか１項に記載のズームレンズ。
【請求項６】
前記レンズ群Ｌｐ１の焦点距離をｆＬｐ１、広角端における前記ズームレンズの焦点距離をｆｗとするとき、
２．０＜ｆＬｐ１／ｆｗ＜８．０
なる条件式を満たすことを特徴とする請求項１乃至５のいずれか１項に記載のズームレンズ。
【請求項７】
広角端における前記レンズ群Ｌｎ２の撮像倍率をβＬｎ２ｗ、望遠端における前記レンズ群Ｌｎ２の撮像倍率をβＬｎ２ｔとするとき、
０．０＜βＬｎ２ｗ＜１．０
０．０＜βＬｎ２ｔ＜１．０
なる条件式を満たすことを特徴とする請求項１乃至６のいずれか１項に記載のズームレンズ。
【請求項８】
広角端における前記レンズ群Ｌｐ１の撮像倍率をβＬｐ１ｗとするとき、
１．１＜βＬｐ１ｗ＜５．０
なる条件式を満たすことを特徴とする請求項１乃至７のいずれか１項に記載のズームレンズ。
【請求項９】
望遠端における前記レンズ群Ｌｐ１の撮像倍率をβＬｐ１ｔとするとき、
１．１＜βＬｐ１ｔ＜５．０
なる条件式を満たすことを特徴とする請求項１乃至８のいずれか１項に記載のズームレンズ。
【請求項１０】
前記レンズ群Ｌｎ２の焦点距離をｆＬｎ２、前記レンズ群Ｌｐ１の焦点距離をｆＬｐ１とするとき、
１．０＜−ｆＬｎ２／ｆＬｐ１＜２．５
なる条件式を満たすことを特徴とする請求項１乃至９のいずれか１項に記載のズームレンズ。
【請求項１１】
前記レンズ群Ｌｎ１の焦点距離をｆＬｎ１、前記レンズ群Ｌｎ２の焦点距離をｆＬｎ２とするとき、
２．０＜ｆＬｎ２／ｆＬｎ１＜２０．０
なる条件式を満たすことを特徴とする請求項１乃至１０のいずれか１項に記載のズームレンズ。
【請求項１２】
前記レンズ群Ｌｎ１は２枚以上の負レンズを有することを特徴とする請求項１乃至１１のいずれか１項に記載のズームレンズ。
【請求項１３】
前記レンズ群Ｌｎ２は負レンズと正レンズを有することを特徴とする請求項１乃至１２のいずれか１項に記載のズームレンズ。
【請求項１４】
広角端に比べて望遠端において前記レンズ群Ｌｎ１と前記レンズ群Ｌｎ２の間隔が広くなることを特徴とする請求項１乃至１３のいずれか１項に記載のズームレンズ。
【請求項１５】
前記レンズ群Ｌｎ１の物体側に正の屈折力のレンズ群Ｌ１を有し、広角端に比べて望遠端において前記レンズ群Ｌ１と前記レンズ群Ｌｎ１の間隔が広くなることを特徴とする請求項１乃至１４のいずれか１項に記載のズームレンズ。
【請求項１６】
広角端から望遠端へのズーミングに際し、前記レンズ群Ｌ１は物体側に移動することを特徴とする請求項１５に記載のズームレンズ。
【請求項１７】
前記レンズ群Ｌ１の焦点距離をｆＬ１、広角端における前記ズームレンズの焦点距離をｆｗとするとき、
２．０＜ｆＬ１／ｆｗ＜７．０
なる条件式を満たすことを特徴とする請求項１５または１６に記載のズームレンズ。
【請求項１８】
前記後群は、物体側から像側へ順に配置された、正の屈折力のレンズ群Ｌ５、負の屈折力のレンズ群Ｌ６、負の屈折力のレンズ群Ｌ７より構成され、
前記レンズ群Ｌ５は、前記ズームレンズに含まれる正の屈折力のレンズ群の中で焦点距離が最も短いレンズ群であることを特徴とする請求項１乃至１７のいずれか１項に記載のズームレンズ。
【請求項１９】
前記後群は、物体側から像側へ順に配置された、正の屈折力のレンズ群Ｌ５、負の屈折力のレンズ群Ｌ６、正の屈折力のレンズ群Ｌ７より構成され、
前記レンズ群Ｌ５は、前記ズームレンズに含まれる正の屈折力のレンズ群の中で焦点距離が最も短いレンズ群であることを特徴とする請求項１乃至１７のいずれか１項に記載のズームレンズ。
【請求項２０】
前記後群は、物体側から像側へ順に配置された、正の屈折力のレンズ群Ｌ５、正の屈折力のレンズ群Ｌ６、負の屈折力のレンズ群Ｌ７、負の屈折力のレンズ群Ｌ８より構成され、
前記レンズ群Ｌ６は、前記ズームレンズに含まれる正の屈折力のレンズ群の中で焦点距離が最も短いレンズ群であることを特徴とする請求項１乃至１７のいずれか１項に記載のズームレンズ。
【請求項２１】
前記後群は、物体側から像側へ順に配置された、正の屈折力のレンズ群Ｌ５、正の屈折力のレンズ群Ｌ６より構成され、
前記レンズ群Ｌ６は、前記ズームレンズに含まれる正の屈折力のレンズ群の中で焦点距離が最も短いレンズ群であることを特徴とする請求項１乃至１７のいずれか１項に記載のズームレンズ。
【請求項２２】
前記後群は、物体側から像側へ順に配置された正の屈折力のレンズ群Ｌ４、正の屈折力のレンズ群Ｌ５、負の屈折力のレンズ群Ｌ６、正の屈折力のレンズ群Ｌ７より構成され、
前記レンズ群Ｌ５は、前記ズームレンズに含まれる正の屈折力のレンズ群の中で焦点距離が最も短いレンズ群であることを特徴とする請求項１乃至１７のいずれか１項に記載のズームレンズ。
【請求項２３】
請求項１乃至２２のいずれか１項に記載のズームレンズと、該ズームレンズによって形成された像を受光する撮像素子を有することを特徴とする撮像装置。
【手続補正２】
【補正対象書類名】明細書
【補正対象項目名】００１３
【補正方法】変更
【補正の内容】
【００１３】
例えば前述した特許文献１のズームレンズは、小型、軽量の第４レンズ群をフォーカシングレンズ群とすることで、静音駆動を容易にしている。特許文献１では広角端から望遠端へのズーミングの際、第４レンズ群を第３レンズ群との間隔が広がるように駆動することで、変倍効果を得ている。
【手続補正３】
【補正対象書類名】明細書
【補正対象項目名】００１４
【補正方法】変更
【補正の内容】
【００１４】
しかしながら特許文献１では、望遠端においてフォーカシングレンズ群が駆動する分だけ第５レンズ群との間隔を空ける必要がある。このため、結果として第３レンズ群との間隔を十分に変化させることができず、高ズーム比化を図りつつ、全系の小型化を図るのが困難である。また特許文献２のズームレンズは、小型、軽量の第４レンズ群をフォーカシングレンズ群とすることで、静音駆動を容易にしている。しかしながら特許文献２は、フォーカシング駆動に伴う像倍率変化が、大きくまた全系が大型化する傾向がある。
【手続補正４】
【補正対象書類名】明細書
【補正対象項目名】００１６
【補正方法】変更
【補正の内容】
【００１６】
本発明のズームレンズは、  負の屈折力のレンズ群Ｌｎ１と、前記レンズ群Ｌｎ１の像側に隣接して配置された負の屈折力のレンズ群Ｌｎ２と、前記レンズ群Ｌｎ２の像側に隣接して配置された正の屈折力のレンズ群Ｌｐ１と、１つ以上のレンズ群を含む後群を含み、ズーミングに際して隣り合うレンズ群の間隔が変化するズームレンズであって、
ズーミングに際して前記レンズ群Ｌｎ１と前記レンズ群Ｌｐ１は同一の軌跡で移動し、
無限遠から近距離へのフォーカシングに際して前記レンズ群Ｌｎ２は物体側に移動することを特徴としている。
【手続補正５】
【補正対象書類名】明細書
【補正対象項目名】００４９
【補正方法】変更
【補正の内容】
【００４９】
その結果、通常の変倍用のレンズ群を２つに分け、一方のレンズ群でフォーカスを行うズームレンズとほぼ同等の大きさで、像倍率変化が小さい静音駆動のズームレンズを得ることが容易となる。
【手続補正６】
【補正対象書類名】明細書
【補正対象項目名】００５３
【補正方法】変更
【補正の内容】
【００５３】
レンズ群Ｌｎ２の焦点距離をｆＬｎ２、レンズ群Ｌｐ１の焦点距離をｆＬｐ１とする。
レンズ群Ｌｎ１の焦点距離をｆＬｎ１とする。レンズ群Ｌ１の焦点距離をｆＬ１、広角端
における全系（ズームレンズ）の焦点距離をｆｗとする。レンズ群Ｌｐ２の焦点距離をｆＬｐ２とする。このとき次の条件式のうち１つ以上を満足するのが良い。 
【手続補正７】
【補正対象書類名】明細書
【補正対象項目名】００６２
【補正方法】変更
【補正の内容】
【００６２】
一方、ポジティブリード型のズームレンズでは、正の屈折力の第１レンズ群により光束が収束されて負の屈折力のレンズ群が小径化し、静音駆動のフォーカシングが容易になる。最も物体側に、正の屈折力のレンズ群Ｌ１を有し、広角端から望遠端へのズーミングに際し、レンズ群Ｌ１とレンズ群Ｌｎ１の間隔が広がるレンズ構成が良い。また、レンズ群Ｌ１が、広角端から望遠端へのズーミングに際し、物体側に移動すると、広角端のレンズ全長が短くなり、全系の小型化が容易となる。
【手続補正８】
【補正対象書類名】明細書
【補正対象項目名】００７２
【補正方法】変更
【補正の内容】
【００７２】
第２レンズ群Ｌ２が負の屈折力のレンズ群Ｌｎ１、第３レンズ群Ｌ３が負の屈折力のレンズ群Ｌｎ２、第４レンズ群Ｌ４が正の屈折力のレンズ群Ｌｐ１、第５レンズ群Ｌ５が正の屈折力のレンズ群Ｌｐ２に対応している。無限遠から近距離へのフォーカシングは第３レンズ群Ｌ３を物体側に移動することで行っている。第３レンズ群Ｌ３は、１枚の負レンズと１枚の正レンズよりなり、小型軽量なレンズ構成となっており、それによりフォーカシングの際の静音駆動を容易にしている。また、第２レンズ群Ｌ２は、２枚の負レンズより構成されており、変倍用のレンズ群としての大半の負の屈折力を保持している。
【手続補正９】
【補正対象書類名】明細書
【補正対象項目名】００７９
【補正方法】変更
【補正の内容】
【００７９】
第３レンズ群Ｌ３は、２枚の負レンズと、１枚の正レンズより構成し、小型軽量なレンズ構成となっており、それによりフォーカシングの際の静音駆動を容易にしている。また、第２レンズ群Ｌ２は、２枚の負レンズで構成されており、変倍用のレンズ群としての大半の負の屈折力を保持している。
【手続補正１０】
【補正対象書類名】明細書
【補正対象項目名】００８２
【補正方法】変更
【補正の内容】
【００８２】
第２レンズ群Ｌ２が負の屈折力のレンズ群Ｌｎ１、第３レンズ群Ｌ３が負の屈折力のレンズ群Ｌｎ２、第４レンズ群Ｌ４が正の屈折力のレンズ群Ｌｐ１、第６レンズ群Ｌ６が正の屈折力のレンズ群Ｌｐ２に対応している。無限遠から近距離のフォーカシングは第３レンズ群Ｌ３を物体側に移動することで行っている。第３レンズ群Ｌ３は、１枚の負レンズと、１枚の正レンズより小型軽量なレンズ構成となっており、それによりフォーカシングの際の静音駆動を容易にしている。
【手続補正１１】
【補正対象書類名】明細書
【補正対象項目名】００８６
【補正方法】変更
【補正の内容】
【００８６】
第２レンズ群Ｌ２が負の屈折力のレンズ群Ｌｎ１、第３レンズ群Ｌ３が負の屈折力のレンズ群Ｌｎ２、第４レンズ群Ｌ４が正の屈折力のレンズ群Ｌｐ１、第６レンズ群Ｌ６が正の屈折力のレンズ群Ｌｐ２に対応している。無限遠から近距離のフォーカシングは第３レンズ群Ｌ３を物体側に移動することで行っている。第３レンズ群Ｌ３は、１枚の負レンズと１枚の正レンズよりなり、小型軽量なレンズ構成となっており、それによりフォーカシングの際の静音駆動を容易にしている。また、第２レンズ群Ｌ２は、２枚の負レンズより構成されており、変倍用のレンズ群としての大半の負の屈折力を保持している。
【手続補正１２】
【補正対象書類名】明細書
【補正対象項目名】００９０
【補正方法】変更
【補正の内容】
【００９０】
第１レンズ群Ｌ１が負の屈折力のレンズ群Ｌｎ１、第２レンズ群Ｌ２が負の屈折力のレンズ群Ｌｎ２、第３レンズ群Ｌ３が正の屈折力のレンズ群Ｌｐ１、第５レンズ群Ｌ５が正の屈折力のレンズ群Ｌｐ２に対応している。無限遠から近距離へのフォーカシングは第２レンズ群Ｌ２を物体側に移動することで行っている。第２レンズ群Ｌ２は、１枚の負レンズと１枚の正レンズよりなり、小型軽量なレンズ構成となっており、それによりフォーカシングの際の静音駆動を容易にしている。